(57)【特許請求の範囲】
【請求項１】
自生地と同じ材木腐朽菌を保有するイソギク苗を適宜管理・育成し、そのイソギクの定芽から、自生地と同じ材木腐朽菌および／または他の微生物を保有するイソギク苗を得るようにし、これらイソギク苗を適宜環境下に管理して育成し、成長したイソギクの定芽を所定時間かけて発根させ、自生地と同じ材木腐朽菌および／または他の微生物を保有する大量のイソギク苗を、適宜環境下に管理して育成するという工程を繰り返し、繁殖を行うようにしてなることを特徴とするイソギク苗の大量繁殖方法。
【請求項２】
自生地と同じ材木腐朽菌および／または他の微生物を保有するイソギク苗を、適宜環境下に管理して育成し、成長したイソギクから切り取った複数の定芽を、所定時間かけて発根させ、自生地と同じ材木腐朽菌および／または他の微生物をもつ大量のイソギク苗を得るようにし、該大量のイソギク苗を適宜環境下に管理して育成し、成長したイソギクから切り取った複数の定芽を、所定時間かけて発根させ、自生地と同じ材木腐朽菌および／または他の微生物をもつ大量のイソギク苗を、適宜環境下に管理して育成するという工程を繰り返し、繁殖を行うようにしてなることを特徴とするイソギク苗の大量繁殖方法。
【請求項３】
自生地と同じ材木腐朽菌および／または他の微生物をもつイソギク苗を、用土および／または土代替材からなる植物用植生基材に植え、長日条件下に維持するよう照明時間を管理すると同時に、気温を５℃ないし３０℃、望ましくは１０℃ないし２５℃に保持するよう温度制御し、一年を通して花芽分化させずに茎葉を分化伸長させるように栽培し、茎が１５ｃｍほどに伸長したときに茎頂を摘心し、下葉の所から脇芽を多数発生伸長させ、それらの脇芽が５ｃｍほどに伸長したとき、切り取って挿し木し、約２０日かけて発根させ大量の苗を得るようにし、それらを親株から、冬至芽を分離して得た苗か、挿し木で得た苗か、または、茎頂の無菌培養で得たクローン苗かの少なくとも何れか１種を、用土および／または土代替材からなる植物用植生基材に植え、長日条件下に維持するよう照明時間を管理すると同時に、気温を５℃ないし３０℃、望ましくは１０℃ないし２５℃に保持するよう温度制御し、一年を通して花芽分化させずに茎葉を分化伸長させるように栽培し、茎が１５ｃｍほどに伸長したときに茎頂を摘心し、下葉の所から脇芽を多数発生伸長させ、それらの脇芽が５ｃｍほどに伸長したとき、切り取って挿し木し、約２０日かけて発根させ大量の苗を得るようにするという同じ工程を繰り返し、実質的に約３０日に１回の割合で挿し木を行うようにしてなることを特徴とするイソギク苗の大量繁殖方法。
【請求項４】
自生地と同じ材木腐朽菌および／または他の微生物をもつイソギク苗を、自生地と同じ材木腐朽菌および／または他の微生物を添加した、用土および／または土代替材からなる植物用植生基材に植え、長日条件下に維持するよう照明時間を管理すると同時に、気温を５℃ないし３０℃、望ましくは１０℃ないし２５℃に保持するよう温度制御し、一年を通して花芽分化させずに茎葉を分化伸長させるように栽培し、茎が１５ｃｍほどに伸長したときに茎頂を摘心し、下葉の所から脇芽を多数発生伸長させ、それらの脇芽が５ｃｍほどに伸長したとき、切り取って挿し木し、約２０日かけて発根させ大量の苗を得るようにし、それらを親株から、冬至芽を分離して得た苗か、挿し木で得た苗か、または、茎頂の無菌培養で得たクローン苗かの少なくとも何れか１種を、用土および／または土代替材からなる植物用植生基材に植え、長日条件下に維持するよう照明時間を管理すると同時に、気温を５℃ないし３０℃、望ましくは１０℃ないし２５℃に保持するよう温度制御し、一年を通して花芽分化させずに茎葉を分化伸長させるように栽培し、茎が１５ｃｍほどに伸長したときに茎頂を摘心し、下葉の所から脇芽を多数発生伸長させ、それらの脇芽が５ｃｍほどに伸長したとき、切り取って挿し木し、約２０日かけて発根させ大量の苗を得るようにするという同じ工程を繰り返し、実質的に約３０日に１回の割合で挿し木を行うようにしてなることを特徴とするイソギク苗の大量繁殖方法。
【請求項５】
通年の気温が１０℃ないし２５℃にある地域エリアにて育苗するようにして冷暖房による気温管理を不要とするようにした、前記請求項１ないし４何れか一項記載のイソギク苗の大量繁殖方法。
【請求項６】
常に長日条件下にある北回帰線から南回帰線の間にある地域エリアにて育苗するようにして照明時間の管理を不要とするようにした、前記請求項１ないし５何れか一項記載のイソギク苗の大量繁殖方法。
【請求項７】
請求項１ないし６何れか一項記載のイソギク苗の大量繁殖方法によって栽培したイソギク苗を、用土および／または土代替材に対し、イソギクと共生する材木腐朽菌および／または他の微生物を添加すると共に、岩石粒子および／または他の素材粒子、ペクチン、および、肥料および／または微量要素、の少なくとも一つを含有してなる植物用植生基材を所望の緑化場所に設置してなる土壌に、隣接苗相互間に適宜間隔を隔てて栽植し、適宜灌水してマット状に密生可能な条件下に管理するようにしてなる、請求項１ないし６何れか一項記載のイソギクの大量繁殖方法によるイソギクを利用した緑化方法。
【請求項８】
自生地から採集したイソギクの菌根から材木腐朽菌を採取し、純粋培養にて増殖させた上、当該材木腐朽菌の適量を、同材木腐朽菌にて緩やかに分解可能な適量の植物繊維に接種繁殖し、自生地と同様の温度範囲内に管理して所定期間培養し、材木腐朽菌の繁殖に伴い粉砕状となった植物繊維を、適量の新たな植物繊維に添加して菌根菌植物繊維を得るようにしてなる、請求項１ないし６何れか一項記載のイソギク苗の大量繁殖方法、または、請求項７記載のイソギクを利用した緑化方法に使用する材木腐朽菌の培養方法。
【請求項９】
自生地から採集したイソギクの菌根を浄水洗浄後、蒸溜水洗浄してから、適宜長さに裁断して得た菌根切片を無菌培養基に植え付け、自生地と同様の温度範囲内に管理して所定期間培養し、得た多種の微生物コロニーの中から材木腐朽菌を採取し、新たな無菌培養基にて純粋培養を適宜回数繰り返した上、当該材木腐朽菌の適量を適量の木質ペレットに接種繁殖し、自生地と同様の温度範囲内に管理して所定期間培養し、材木腐朽菌の繁殖に伴い粉砕状となった分解ペレットを、適量の新たな木質ペレットに添加して菌根菌木質ペレットを得るようにしてなる、請求項１ないし６何れか一項記載のイソギク苗の大量繁殖方法、または、請求項７記載のイソギクを利用した緑化方法の少なくとも一方に使用する材木腐朽菌の培養方法。                                                                                                    
【発明の詳細な説明】
【技術分野】
【０００１】
この発明は、植物の栽培に関連する技術にあり、特に、緑化を目的とする植物を効率的且つ大量提供可能とすると共に、永年に亘って良質な緑化を提供可能とする繁殖技術の分野は勿論のこと、それらの技術によって栽培した植物の輸送、管理、移植、緑化、および、緑化に必要となる微生物類の培養・利用や植物用植生基材の製造・利用の分野、さらに、それらの栽培、培養、製造などに必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                              
【背景技術】
【０００２】
（着目点）
工業団地、住宅地、道路周辺、公園、鉄道周辺、空港、港湾、海岸、学校、公共施設、スポーツ施設、商業施設、病院などの様々に整備された敷地内の緑地帯や、各種建築物の屋上などを緑地化することにより、景観を向上するのは勿論のこと、こうした地域における緑地帯の拡大は、近代の炭素社会における温室効果ガス排出による地球温暖化や、都市におけるヒートアイランド化を抑止、改善するのに有効であり、さらに、地球全体を俯瞰すると、温暖化によって砂漠化が進行する地域や、原発事故による再生可能エネルギーヘの転換から予想される太陽光発電および風力発電などの施設エリア、将来予想される原発廃炉後の施設エリア、および、放射能汚染避難地区など、従前までの芝生類やセダム類、苔類などのような緑化植物では、繁殖や活着に長期間を要したり、過酷な環境に対応できず枯れてしまったり、灌水や施肥、除草などに多大な手間を要したりするなどして、繁殖、栽植および維持管理に多大な経費を要するものとなるから、将来的には、従前までの緑化植物よりも、さらに過酷な環境下でも元気に生息可能な上、繁殖・維持管理を効率的に行えて、しかも観賞に相応しい植物、および、その植物の繁殖スピードを大幅に高めることができる秀れた緑化技術へのニーズが高まるのは必至であると予想される。
【０００３】
（従来の技術）
こうしたニーズを反映し、その打開策となるような提案もこれまでに散見されない訳ではない。
例えば、下記の特許文献１（１）に提案されているものに代表されるように、ナス科植物の苗の茎葉部の一部を少なくとも一つの定芽を含むように切り取るか、または、ナス科植物の苗の茎葉部の一部を少なくとも一つの定芽を含むように切り取った茎葉部を培養土が支持体の培地で培養し、発根させ、その茎葉部の一部を少なくとも一つの定芽を含むように切り取るかの何れか一方で得た茎葉部を培養土が支持体の培地で培養し、発根させるという工程を２回位状繰り返すようにして、栄養繁殖によるクローン苗の生産が困難であるナス科植物の継続的な培養増殖を可能とし、栄養繁殖による苗生産を可能とする技術や、同特許文献１（２）に見られるような、トウガラシ属植物におけるシュートを切断して得られる穂木を挿し穂又は接ぎ木し、品種開発に要する期間を大幅に短縮することができ、多岐にわたる要求に迅速に対応した品種開発も可能にするトウガラシ属植物の増殖技術、同特許文献１（３）のような、母株の主枝の頂端分裂組織、および主枝を除く一つ以上のシュートの頂端分裂組織を摘心する工程に次いで、上記工程で生じた摘心部分より発生した繁殖体を、栄養繁殖用の苗として取得する工程を含み、均質な植物苗を安価且つ大量に提供可能とする栄養繁殖技術がある。
【０００４】
また、同特許文献１（４）に見られるような、根挿しを生産するために選別したクローンから親株を選別し、該親株を強い根系の形成に十分な期間生育し、前記の生育期間の後、成長した親株を休眠状態で放置して、親株の根系を回収し、該根系の最も薄い部分は取り除き、根を切断し、前記の根の切断部、即ち根挿しを適切な成長培地中で発根状態にして発根させるか、または、必要に応じて該根挿しを前処理し、前記の発根した根挿しおよび／または苗条を成長させ始めた根挿しを選別、回収および生育し、植物体とし、あるいは、根を切断するか、または、前処理することにより得られた根挿しを選別し、選別した森林栽培地に直接植え付けるようにして、挿し木の生産効率を高めた技術、また、同特許文献１（５）にあるように、アカマツ幼苗の根を支持可能で且つ保水性を備えた可及的に栄養分を含まない貧栄養培地に、アカマツ種子を播種し、該アカマツ種子から発芽した後に、同アカマツ幼苗の根元付近に菌根菌を接種し、該接種した菌根菌の菌糸が伸長してアカマツ幼苗の一次根および二次根を覆うように栽培し、該菌根菌が感染したアカマツ幼苗を移植して順化させ、特別な培養装置や道具類、複雑な作業を必要とせず、確実にマツタケ菌等の菌根菌の感染したアカマツ幼苗の量産を可能とした技術、同特許文献１（６）に見られるように、植物のクローン苗を体外培養法により製造する方法において、苗の発根処理と並行して共生菌を感染させて順化期間の短縮や、生長速度、生存率などを向上する共生菌感染クローン苗の製造技術などが散見される。
【０００５】
しかし、前者特許文献１（１）に示されているようなナスやピーマンなどのナス科植物の栽培技術に係るものであり、特許文献１（２）は、トウガラシ属植物の、また、特許文献１（３）は、トウガラシ、トマト、トルバム、ヒラナス、ナス等のナス科植物、アーモンド、モモ、ウメ、リンゴ、ナシ、キイチゴ等のバラ科植物、トウガン、スイカ、メロン、キュウリ、カボチャ、ユウガオ等のウリ科植物等の栽培に関連し、さらに、特許文献１（４）は、ヤマナラシの夫々の効率的な繁殖に関連する技術であるが、それら特許文献１（１）ないし（３）は、野菜や果樹類などと云った青果物類の栽培技術であって、景観を重視する緑化を目的とした栽培技術として利用するには全く不向きなものであり、また、特許文献１（４）は、高木の類に属するヤマナラシの栽培に関わるものであるから、緑地帯に移植後は季節毎に施肥や剪定、下草の除草など、充分な手入れをしなければ、健全な生息状態を維持できないという欠点があり、また、後者特許文献１（５）および（６）は、アカマツ幼苗やアスパラガス、イチゴ、ジャガイモ、ニンニク、ネギ、ピーマン、ショウガ、ナガイモなどの野菜類、ブドウ、リンゴ、パッションフルーツ、メロンなどの果物類、キク、バラ、シクラメン、スターチス、ユリ、ベゴニア、セントポーリア、ガーベラ、ゼラニウム、ランなどの花木類、その他コーヒー、チャ、ユーカリなどの苗といった、共生菌類を持たない植物に共生菌類を感染させて栽培する技術であるが、菌根菌を有する日本原産・自生植物苗の大量栽培技術は、これまでのところでは全く存在していなかった。                                                                                  
【特許文献１】（１）特開２０００−１９７４２３号公報    （２）特開２００２−２６２６５７号公報    （３）特開２００３−１１６３８３号公報    （４）特表２００４−５０２４３５号公報    （５）特開２００９−２９６９７７号公報    （６）特開平５−１１１３３０号公報
【発明の概要】
【発明が解決しようとする課題】
【０００６】
（問題意識）
上述したとおり、従前までに提案のある各種植物の栽培技術などは、何れも、繁殖から育成、維持・管理まで、灌水、施肥、除草、剪定などの年間を通じた様々な作業に多大な労力と経費とを必要とするものであり、しかもこれまで国内で使用されてきた海外品種を含む種々の緑化植物類は、南北に長い日本の国土における多様で過酷な自然環境や劣悪な土壌条件、および、様々な緑化目的の全てに適合できるものはなく、各地方の緑地帯毎夫々に、必ずしも最適でない植物を選択、使用してきた例があまりにも多く、また、こうした厳しい条件を克服可能な、外国原産の強い生命力をもつ帰化植物、外来植物を使用した事例も多く見られるが、外来植物類は、その強い生命力で日本の植物生態系を脅かし、美しい日本の景観を損なうまでになってきている。
【０００７】
こうした従来から問題視されてきた緑化植物の課題に加え、近年では、炭素社会が排出する温室効果ガスが原因とされる地球温暖化の抑制、都市におけるヒートアイランド化などへの対策として、広大な緑地帯の確保が重視されるようになっており、節電を目的としたビル屋上の遮光、遮熱や、太陽光発電施設および風力発電施設などの広大な敷地の景観保全、原子力発電施設エリアの砂塵防止など新たに緑化を必要とする地域が増大しており、さらに、昨年起きた東日本大震災に伴う津波で被災した、県境を跨ぐ広大な面積の海岸エリアの荒廃を抑止し、景観を維持可能とする緑化技術などへのニーズが高まってきており、このような情勢に鑑み、本願出願人は、これまで既に１０年以上にも亘り、我が国特有の美しい景観を破壊することがない日本原産である固有種の中から、前述した多様なエリアを効率的に緑化可能な新たな緑化植物の調査、研究、およびその栽培技術の研究、実験を弛まず繰り返してきたが、この新技術を一刻も早く実用化しなければならないと痛感するに至った。
【０００８】
（発明の目的）
そこで、この発明は、日本原産で国内固有の景観を維持でき、強い生命力をもつ緑化植物を逸早く調査、発見すると共に、その植物の大量増殖技術を開発し、それに良く適合し、当該緑化植物を効率的に短期間にて大量に繁殖、提供することができる新たな緑化技術の開発はできないものかとの判断から、逸速くその研究、開発に着手し、永年に渡る試行錯誤と幾多の試作、実験とを繰り返してきた結果、今回、遂に新規なイソギクの大量繁殖方法、新規なイソギクを利用した緑化方法、および、それらに利用する新規な材木腐朽菌の培養方法を実現化することに成功したものであり、以下では、図面に示すこの発明を代表する実施例と共に、その構成を詳述することとする。                                                                      
【課題を解決するための手段】
【０００９】
（発明の構成）
図面に示すこの発明を代表する実施例からも明確に理解されるように、この発明のイソギクの大量繁殖方法は、基本的に次のような構成から成り立っている。
即ち、自生地と同じ材木腐朽菌を保有するイソギク苗を適宜管理・育成し、そのイソギクの定芽から、自生地と同じ材木腐朽菌および／または他の微生物を保有するイソギク苗を得るようにし、これらイソギク苗を適宜環境下に管理して育成し、成長したイソギクの定芽を所定時間かけて発根させ、自生地と同じ材木腐朽菌および／または他の微生物を保有する大量のイソギク苗を、適宜環境下に管理して育成するという工程を繰り返し、繁殖を行うようにしてなる構成を要旨とするイソギク苗の大量繁殖方法である。
【００１０】
この基本的な構成からなるイソギク苗の大量繁殖方法を、表現を変えて示すと、自生地と同じ材木腐朽菌および／または他の微生物をもつイソギク苗を、適宜環境下に管理して育成し、成長したイソギクから切り取った複数の定芽を、所定時間かけて発根させ、自生地と同じ材木腐朽菌および／または他の微生物をもつ大量のイソギク苗を得るようにし、該大量のイソギク苗を適宜環境下に管理して育成し、成長したイソギクから切り取った複数の定芽を、所定時間かけて発根させ、自生地と同じ材木腐朽菌および／または他の微生物をもつ大量のイソギク苗を、適宜環境下に管理して育成するという工程を繰り返し、繁殖を行うようにしてなる構成を要旨とするイソギク苗の大量繁殖方法となる。
【００１１】
そして、具体的には、自生地と同じ材木腐朽菌および／または他の微生物をもつイソギク苗を、用土および／または土代替材からなる植物用植生基材に植え、長日条件下に維持するよう照明時間を管理すると同時に、気温を５℃ないし３０℃、望ましくは１０℃ないし２５℃に保持するよう温度制御し、一年を通して花芽分化させずに茎葉を分化伸長させるように栽培し、茎が１５ｃｍほどに伸長したときに茎頂を摘心し、下葉の所から脇芽を多数発生伸長させ、それらの脇芽が５ｃｍほどに伸長したとき、切り取って挿し木し、約２０日かけて発根させ大量の苗を得るようにし、それらを親株から、冬至芽を分離して得た苗か、挿し木で得た苗か、または、茎頂の無菌培養で得たクローン苗かの少なくとも何れか１種を、用土および／または土代替材からなる植物用植生基材に植え、長日条件下に維持するよう照明時間を管理すると同時に、気温を５℃ないし３０℃、望ましくは１０℃ないし２５℃に保持するよう温度制御し、一年を通して花芽分化させずに茎葉を分化伸長させるように栽培し、茎が１５ｃｍほどに伸長したときに茎頂を摘心し、下葉の所から脇芽を多数発生伸長させ、それらの脇芽が５ｃｍほどに伸長したとき、切り取って挿し木し、約２０日かけて発根させ大量の苗を得るようにするという同じ工程を繰り返し、実質的に約３０日に１回の割合で挿し木を行うようにしてなるイソギク苗の大量繁殖方法と言える。
【００１２】
これを、さらに具体的なものとして示すと、自生地と同じ材木腐朽菌および／または他の微生物をもつイソギク苗を、自生地と同じ材木腐朽菌および／または他の微生物を添加した、用土および／または土代替材からなる植物用植生基材に植え、長日条件下に維持するよう照明時間を管理すると同時に、気温を５℃ないし３０℃、望ましくは１０℃ないし２５℃に保持するよう温度制御し、一年を通して花芽分化させずに茎葉を分化伸長させるように栽培し、茎が１５ｃｍほどに伸長したときに茎頂を摘心し、下葉の所から脇芽を多数発生伸長させ、それらの脇芽が５ｃｍほどに伸長したとき、切り取って挿し木し、約２０日かけて発根させ大量の苗を得るようにし、それらを親株から、冬至芽を分離して得た苗か、挿し木で得た苗か、または、茎頂の無菌培養で得たクローン苗かの少なくとも何れか１種を、用土および／または土代替材からなる植物用植生基材に植え、長日条件下に維持するよう照明時間を管理すると同時に、気温を５℃ないし３０℃、望ましくは１０℃ないし２５℃に保持するよう温度制御し、一年を通して花芽分化させずに茎葉を分化伸長させるように栽培し、茎が１５ｃｍほどに伸長したときに茎頂を摘心し、下葉の所から脇芽を多数発生伸長させ、それらの脇芽が５ｃｍほどに伸長したとき、切り取って挿し木し、約２０日かけて発根させ大量の苗を得るようにするという同じ工程を繰り返し、実質的に約３０日に１回の割合で挿し木を行うようにしてなるイソギク苗の大量繁殖方法ということができる。
【００１３】
（関連する発明１）
上記したイソギク苗の大量繁殖方法に関連し、この発明には、そのイソギクを利用した緑化方法も包含している。
即ち、この発明の基本をなす前記イソギク苗の大量繁殖方法によって栽培したイソギク苗を、用土および／または土代替材に対し、イソギクと共生する材木腐朽菌および／または他の微生物を添加すると共に、岩石粒子および／または他の素材粒子、ペクチン、および、肥料および／または微量要素、の少なくとも一つを含有してなる植物用植生基材を所望の緑化場所に設置してなる土壌に、隣接苗相互間に適宜間隔を隔てて栽植し、適宜灌水してマット状に密生可能な条件下に管理するようにしてなる、この発明の基本をなす前記イソギクの大量繁殖方法によるイソギクを利用した緑化方法である。
【００１４】
（関連する発明２）
上記したイソギク苗の大量繁殖方法、および、そのイソギクを利用した緑化方法に利用可能な材木腐朽菌の培養方法も包含している。
即ち、自生地から採集したイソギクの菌根から材木腐朽菌を採取し、純粋培養にて増殖させた上、当該材木腐朽菌の適量を、同材木腐朽菌にて緩やかに分解可能な適量の植物繊維に接種繁殖し、自生地と同様の温度範囲内に管理して所定期間培養し、材木腐朽菌の繁殖に伴い粉砕状となった植物繊維を、適量の新たな植物繊維に添加して菌根菌植物繊維を得るようにしてなる、この発明の基本をなす前記イソギクの大量繁殖方法、または、そのイソギクを利用した緑化方法に使用する材木腐朽菌の培養方法である。                                                      
【発明の効果】
【００１５】
この発明のイソギクの大量繁殖方法によれば、従前までのものとは違い、上記したとおりの固有の特徴ある構成から、従前までであれば、イソギクの苗を効率的に量産可能であっても、緑化対象地帯に栽植した後に、その土壌に順化し健全な繁殖状態に快復するまでに２ないし３年を要するものであり、その間に多くの苗が環境に耐えられず枯れてしまうこととなり、そうした憂慮すべき状況を回避しようとあれこれと対処を講じる過程で多大な栽培管理労力と経費とを費やさざるを得ないものであったが、本発明は、自生地と同じ材木腐朽菌および／または他の微生物をもつイソギク苗を使用することにより、緑化対象地帯に栽植した直後から、自生のイソギク同様に、過酷な自然環境下であっても枯れることなく強靱な繁殖力を発揮可能なものとなり、しかも一度に大量のイソギク苗を効率的に栽培し、それら大量のイソギク苗を効率的に活着、順化させて短期間の中に、広大なエリアを悉く確実に緑化し、帰化植物やその他の雑草類の繁茂を抑止して日本固有の美しい景観を再生することができる上、栽植直後から維持管理も殆ど不要で、格段に経済的な緑化を実現化できるものになるという秀れた効果が得られるものである。
【００１６】
加えて、従前までのイソギクは、基本的に、自然に任せた繁殖に頼っていて、地下茎を横に広げながら１０月から１２月に花を付け、常緑で越年し、次第に繁殖して行く多年草であるから、成長は春から秋に限られるものとなり、効率的な大量繁殖は望むことができなかったものが、この発明の大量繁殖方法では、長日条件下に維持するよう照明時間を管理すると同時に、気温を５℃ないし３０℃、望ましくは１０℃ないし２５℃に保持するよう温度制御し、花芽分化させずに茎葉を分化伸長させるよう栽培するものとしたことにより、一年を通して連続的栽培を可能とすることができ、しかも茎が１５ｃｍほどに伸長したときに茎頂を摘心し、下葉の所から脇芽を多数発生伸長させ、それらの脇芽が５ｃｍほどに伸長したとき、切り取って挿し木し、約２０日かけて発根させて大量の苗を得るようにしたことから、凡そ３０日サイクルという短周期毎に挿し木を繰り返すことが可能となり、１年間に約１２（１２ヶ月）培を遙かに超える複利的（鼠算的）大量栽培を実現化することが可能になるという非常に大きな効果をそうするものとなる。
【００１７】
さらに、自生地と同じ材木腐朽菌および／または他の微生物をもつイソギク苗を、自生地と同じ材木腐朽菌および／または他の微生物を添加した、用土および／または土代替材からなる植物用植生基材に植えて育成、繁殖することにより、イソギク苗の順化、生長速度を一段と短縮し、最短の期間で大量の繁殖を健全な状態で生産することができ、前述したとおり、長日条件下、温度制御下で、花芽分化させずに茎葉を分化伸長させるよう栽培し、摘心後に多数の脇芽を切り取って挿し木するように管理することにより、挿し木した脇芽などの定芽を、より確実に発芽、発根させて格段に効率的な大量繁殖を実現化することができという効果を発揮することになる。
【００１８】
また、通年の気温が１０℃ないし２５℃にある地域エリアにて育苗するようにし、冷暖房による気温管理を一切不要となるようにすることができ、冷暖房に要する経費と管理労力とを大幅削減することができるという利点と共に、冷暖房に伴い発生していたエネルギー消費量および二酸化炭素の発生量を大幅に削減し、一段と効率的で自然環境に優しい大量繁殖を実現化することができるという利点とを兼ね備えた極めて秀れた特徴を有するものとなる。
【００１９】
そして、常に長日条件下にある北回帰線から南回帰線の間にある地域エリアにて育苗するようにして照明時間の管理を不要となるようにすることもでき、照明管理に要していた経費と管理労力とを不要とし、照明電力に当てていたエネルギー消費量と、その電力エネルギーを得るために発生していた二酸化炭素の排出量を大幅に削減することができ、該北回帰線から南回帰線の間にあるエリアからの輸送費用を支払ってもなお、経済的で自然環境に配慮した大量繁殖を実現化する可能性があり、地球規模の緑化に寄与できるものになることが期待できる。
【００２０】
さらに、前述のように、常に長日条件下にある北回帰線から南回帰線の間にある地域エリアであって、しかも通年の気温が１０℃ないし２５℃にある、例えば高地などの地域エリアにて育苗するようにすれば、照明管理と冷暖房管理との双方を不要とし、大幅な設備の節減と、人件費の削減とを実現化し、さらに、燃料や電力の消費量を大幅に削減して格段に経済適で、しかも自然環境に優しいイソギクの大量繁殖を実現化することができることとなるという利点も得られることとなる。
【００２１】
一方、この発明のイソギクの大量繁殖方法によるイソギクを利用した緑化方法によれば、従前までの緑化技術であれば、適量の肥料を添加した園芸用の土などにイソギクを栽植し、肥料成分を吸収しながら、本来の生態系を形成する材木腐朽菌および／または他の微生物が発生し順化するのを待つこととなるが、こうした土壌の遷移期間を解消し、栽植直後からイソギクにとって最も望ましい土壌環境を与え、逸早く活着し、勢いよく成長を開始することができるという秀れた特徴を発揮するものであり、特に、土および／または土代替材に対し、イソギクと共生する材木腐朽菌および／または他の微生物を添加することによって、土および／または土代替材や、その他周辺植物の落葉や茎、小枝などの植物基材を少しずつ分解し、速やかに栄養成分を吸収する態勢を築くことができ、さらに、岩石粒子および／または他の素材粒子、ペクチン、および、肥料および／または微量要素、の少なくとも一つを含有したものとすることにより、岩石粒子および／または他の素材粒子が、イソギクの砂地に自生する性質に合致した土壌環境を与え、ペクチンが、植物用植生基材を長時間固化、維持するものとなり、肥料や微量要素が、イソギクの生育を促進し、より強く高密度に繁殖し、逸早く所望のエリアを緑化すると共に、半永久的に繁茂させ、日本古来の美しい景観を、低コストで維持・管理可能とすることができるという秀れた効果を奏することになる。
【００２２】
更には、この発明の自生するイソギクに共生する材木腐朽菌の培養方法によれば、従前までは、日本に自生するイソギクに共生する材木腐朽菌を純粋培養する技術、および、それを利用した栽培技術が一切存在せず、従来の繁殖技術にて栽培した材木腐朽菌をもたないイソギクを緑化対象エリアに栽植しても、栽植地の土壌に順化し、同地域の気候や天候に耐えられるように生長するまでには長期間を要し、健全に繁茂するまでに多大な労力と経費とを費やさざるを得ないものであって、しかも確りと根付いた後にも、季節毎の気候変化や周辺環境の変化などに耐えられず枯死してしまうことも多かったが、こうした課題を解決するのに有効な材木腐朽菌を効率的に量産するのを可能とし、前述したこの発明の根幹をなすイソギクの大量繁殖方法、および、そのイソギクを利用した緑化方法の、自生地と同じ材木腐朽菌および／または他の微生物をもつイソギク苗の大量繁殖、および、自生地と同じ材木腐朽菌および／または他の微生物を添加した植物用植生基材の大量生産を実現化することができ、この発明全体の実施をより効率的且つ確実なものにすることができるという秀れた特徴を発揮できるものとなる。                                                                                            
【発明を実施するための最良の形態】
【００２３】
上記したとおりの構成からなるこの発明の実施に際し、以下では、その最良もしくは望ましい形態について説明を加えることにする。
イソギクは、日本を原産地とするキク科イソギク属の耐寒性宿根草であり、より具体的には、野菊の一種で国内の房総や伊豆の海岸の崖などに繁茂し、自生地と同じ材木腐朽菌および／または他の微生物をもつ野生品種としなければならず、換言すると、菌根を有し、毛根を持たず、健全な日本原産の野生品種であるイソギクとしなければならず、植物が自生しない砂漠などの緑化に際して日本原産の自生イソギクを利用することが可能である外、日本国内の緑化にあっては、日本原産のイソギクを採用するのが最も理想的であると言えるが、それが困難な場合にあっても、少なくともアジア原産の自生イソギクを採用するようにするのが望ましく、また、強靱な生命力をもちならが、他の植物と穏やかに共存可能な日本原産の自生イソギクは、海外の緑地化にも良く適合して、効果的に使用可能であるものの、各国独自の植生環境を尊重する見地からも、各国に自生するイソギクを繁殖、利用するようにするのが望ましいと言える。
【００２４】
この発明のイソギクの大量繁殖方法は、自生地と同じ材木腐朽菌および／または他の微生物をもつイソギク苗を必ず使用すべきであり、より効率的に育苗するには、自生地と同じ材木腐朽菌および／または他の微生物をもつイソギク苗を、自生地と同じ材木腐朽菌および／または他の微生物を添加した、用土および／または土代替材からなる植物用植生基材に植え、長日条件下に維持するよう照明時間を管理すると同時に、気温を５℃ないし３０℃、望ましくは１０℃ないし２５℃に保持するよう温度制御し、一年を通して花芽分化させずに茎葉を分化伸長させるように栽培すべきであり、国内の標高の低い平地などでは、基本的に冷暖房管理を必要とするものであるが、通年の気温が１０℃ないし２５℃にある高地にて育苗するようにして冷暖房による気温管理を不要とするようにして栽培することも可能であり、気温が１０℃未満や２５℃を超える条件下の場合には、繁殖効率が大幅に低下してしまい、さらに、５℃未満や３０℃を超える条件下の場合には、効率的な繁殖が極めて困難なものとなってしまう虞れがあることから、十分配慮すべきである。
【００２５】
また、この発明のイソギクの大量繁殖方法は、日本国内にあっては、基本的に、前述のとおり、気温を５℃ないし３０℃、望ましくは１０℃ないし２５℃に保持するよう温度制御して栽培するようにすべきであり、年間を通じて気温が５℃ないし３０℃、望ましくは１０℃ないし２５℃の範囲にある地域エリアで栽培し、冷暖房による管理を全く不要とするか、殆ど不要となるようにすることも可能であり、また、前述のとおり、長日条件下に維持するよう照明時間の管理をするのを基本とするものの、常に長日条件下にある北回帰線から南回帰線の間にある地域エリアにて育苗するようにして、照明管理を一切不要とするか、殆ど不要となるものにすることができ、さらに、常に長日条件下にある北回帰線から南回帰線の間にある地域エリアであって、しかも、年間を通じて気温が５℃ないし３０℃、望ましくは１０℃ないし２５℃の範囲にある、例えば高知などの地域エリアを育成栽培専門地として栽培するよう地域割りをするなどして、積極的に照明および冷暖房の管理を一切不要とするか、殆ど不要となるようにすることもできる。
【００２６】
この発明のイソギクの大量繁殖方法によるイソギクを利用した緑化方法は、当該イソギクを、用土および／または土代替材に対し、イソギクと共生する材木腐朽菌および／または他の微生物を添加すると共に、岩石粒子および／または他の素材粒子、ペクチン、および、肥料および／または微量要素、の少なくとも一つを含有してなる植物用植生基材を所望の緑化場所に設置してなる土壌に、隣接苗相互間に適宜間隔を隔てて栽植し、適宜灌水してマット状に密生可能な条件下に管理するようにしてなるものとしなければならず、用土は、イソギク用植生基材の一部または全部を形成する機能を担い、より具体的には、緑化対象場所の現地の土、砂などをそのまま利用するようにする外、他の地域から搬入した土や砂、赤玉土、山砂、川砂、海砂、軽石粒子、岩石粒子、その他の粒子素材、その他の園芸用の土などあらゆる土類を利用することも可能であり、土代替材は、イソギク用植生基材の一部または全部を形成する機能を担い、より具体的には、加水すると膨張する植物組織、加工した植物組織、および／または植物組織以外の素材、加水しても膨張しない植物組織、加工した植物組織および／または植物組織以外の素材、または、大量の水を吸収、保水する高分子ポリマー、他のポリマーなどとすることができ、加水によって膨張する植物組織は、植生基材の製作作業を簡単にし、植生基材重量の軽量化を図り、植栽したイソギクを植生基材に固定し、移植工事を簡単にするために灌水によって膨張する基材を用いるのが良く、より具体的には、国産の広葉樹、針葉樹のチップやペレットなど、および、地産穀物類の生産に伴い発生するモミガラなどの植物殻類のような様々な植物組織を用いることができ、高分子ポリマーは、栽植したイソギクの乾燥・枯死を防ぎ、灌水などの作業を軽減する機能を担うものとなる。
【００２７】
用土および／または土代替材を所望の緑化場所に搬入する場合には、搬入、設置前の何れかの適宜段階にて、材木腐朽菌および／または他の微生物を添加し、同様に何れかの段階にて、岩石粒子および／または他の素材粒子、ペクチン、および、肥料および／または微量要素、の少なくとも一つを混合するようにすることができる外、植木鉢や篭、袋、その他の容器類に収容し、所望の緑化場所にそのまま配置して設置するようにしてなるものとすることができる。
【００２８】
イソギクと共生する材木腐朽菌は、イソギク自生地に生息するもので、イソギクと共生する材木腐朽菌を添加することによって植物組織基材を緩やかに分解し、この分解養分をイソギクの養分として供給し、生え替わりによって落ちたイソギクの茎葉をも分解して養分とし、循環緑化を可能とする機能を担い、栽植直後から健全且つ永続的に繁殖させるのに有効なものである。
ペクチンは植生基材を長時間固化、維持する機能を担い、且つ栄養成分となってイソギクの成長を助長するものとなり、また、肥料および／または微量要素はイソギクの栄養を補給し、生育・繁茂を早めるものとなるという機能を分担するものとなる。
【００２９】
この発明の材木腐朽菌の培養方法は、自生地から採集したイソギクの菌根から材木腐朽菌を採取し、それを安全、且つ効率的に培養可能とする技術にあり、自生地から採集したイソギクの菌根から材木腐朽菌を採取し、純粋培養にて増殖させた上、植物繊維に接種繁殖し、自生地と同じ材木腐朽菌および／または他の微生物をもつイソギクを栽植するのに適した植物用植生基材を得るのに有効なものであって、植物繊維は、材木腐朽菌を容易に接触、感染する性質を有するものとしなければならず、安価且つ大量に入手可能なものとすべきであり、より具体的には、林業や園芸農業などで発生する間伐材や剪定枝、落葉などといった不要物の外、農産物の生産から出荷の過程で発生する野菜や果物などの葉や茎類、殻などの産業廃棄物を利用することも当然可能であり、一段と効率的な培養を安定的に実現化しようとするには、一定の粒径に加工した品質の安定した木材チップや木材ペレットを用いるようにするのが望ましいと言える。
【００３０】
加えて、この発明の材木腐朽菌の培養方法によって純粋培養した材木腐朽菌を利用して植物用植生基材を製造する場合には、材木腐朽菌の繁殖に伴い、粉砕状となった分解ペレットを、適量の新たな木質ペレットに添加して得た菌根菌木質ペレットにしたものとして、用土および／または土代替材に１：９〜３：７の容量割合に限定して混合、製造するようにすべきであって、この容量割合外の、菌根菌木質ペレットの、用土および／または土代替材に対する混合（容量）割合を１：９未満にしてしまうと、充分な量の材木腐朽菌を得るのに長期間を要するものとなって充分な効果が得られなくなる虞があり、また３：７を超える混合（容量）割合とした場合には、より多くの分解ペレットを準備しなければならない上、材木腐朽菌が過剰に発生してしまい、用土および／または土代替材に含まれる栄養分の緩やかな分解を阻害してしまう虞があり、何れの場合にも植物用植生基材の生産効率や品質を悪化させてしまうことから注意を要する。
以下では、図面に示すこの発明を代表する実施例と共に、その構造について詳述することとする。                                                                                                                  
【図面の簡単な説明】
【００３１】
図面は、この発明のイソギクの大量繁殖方法、イソギクを利用した緑化方法、および、それらに利用する材木腐朽菌の培養方法の技術的思想を具現化した代表的な幾つかの実施例を示すものである。
【図１】イソギクの大量繁殖方法を示すフローチャートである。
【図２】イソギクを利用した緑化方法を示すフローチャートである。
【図３】自生イソギクと同じ材木腐朽菌の培養方法を示すフローチャートである。
【図４】イソギクの苗を示す側面図である。
【図５】イソギクの苗を示す平面図である。
【図６】苗を植えて１ヶ月後の葉枚数が増加したイソギクを示す平面図である。
【図７】苗を植えて２ヶ月後の地上１５ｃｍほどに成長したイソギクを示す平面図である。
【図８】茎頂を摘心するイソギクを示す側面図である。
【図９】茎頂を摘心したイソギクを示す平面図である。
【図１０】脇芽をカットするイソギクを示す側面図である。
【図１１】挿し木したイソギクの脇芽を示す側面図である。
【図１２】新芽を出し発根したイソギクの脇芽を示す側面図である。
【図１３】大量に挿し木して栽培するイソギクを示す斜視図である。
【図１４】吸水スポンジに挿し木したイソギク脇芽を示す斜視図である。
【図１５】植木鉢に挿し木したイソギク脇芽を示す斜視図である。
【図１６】新芽を出し発根したイソギクの脇芽を示す側面図である。
【図１７】新芽が発生したイソギクの脇芽を示す斜視図である。
【図１８】緑化を完了したイソギクを示す平面図である。
【実施例１】
【００３２】
図１および図４ないし図１８の各図に示す事例は、自生地と同じ材木腐朽菌を保有するイソギク苗Ｐを、適宜管理・育成し（同図１中の１、ないし５）、成長したイソギクＣから切り取った複数の定芽Ｂを、所定時間かけて発根させ、自生地と同じ材木腐朽菌および／または他の微生物をもつ大量のイソギク苗Ｐを得る（同図１中の６，ないし１０）ようにし、それら大量のイソギク苗Ｐを適宜環境下に管理して育成し、成長したイソギクＣから切り取った複数の定芽Ｂを、所定時間を掛けて発根させ、自生地と同じ材木腐朽菌および／または他の微生物を保有する大量のイソギク苗Ｐを、適宜環境下に管理して育成するという工程（同図１中の２，ないし９）を繰り返し、繁殖を行うようにした、この発明のイソギク苗の大量繁殖方法における代表的な一実施例を示すものである。
以下では、この発明のイソギクの大量繁殖方法の一例について示して行くこととするが、先ず、緑化植物にイソギクＣを選定した経緯について示すこととする。
【００３３】
当該発明に利用する緑化植物を選定するに当たり、本願出願人は、我が国内に生息する植物の中から緑化植物に適するものを、現在までの１０年以上に亘る期間を費やして調査してきた。
国内で使用されている緑化植物は、高中木類として、カイツカイプキ、コノテガシワ、ニオイヒバ、エレガンテシマ、イヌマキなどの針葉樹や、イヌゲツ、ウバメガシ、カクレミノ、カナメモチ、ゲッケイジュ、サカキ、サザンカ、ヤプツバキ、ネズミモチ、ヤマモモ、ユズリハ、マサキ、プラッシュノキなどの常緑樹、さらに、サルスベリ、ネムノキ、ハンズオウ、ハナミズキ、エゴノキ、シャラノキ、ヤマポウシ、ムクゲなどの落葉樹があり、低木類としては、ハイピャクシン、フィラフィオーレラなどの針葉樹や、アベリア、シャリンパイ、トベラ、ハマヒサカキ、ボックスウッド、マメツゲ、サツキ、ツツジ類、カンツパキ、コクチナシ、ジンチョウゲ、ヒペリカム類などの常緑樹、エニシダ、ポケ、ユキヤナギ、ドウダンツツジ、ヒュウガミズキ、レンギョウなどの落葉樹がある。
【００３４】
芝として、野芝、高麗芝、姫高麗芝、ティフトン各種、ディフドワーフ、セントオーガスチングラスなどの暖地型芝生、および、グリービングベントグラスなどのベントグラス類、ケンタッキーブルーグラスなどのブルーグラス類、ファインフェスク、トールフェスクなどのフェスク類、イタリアンライグラス、ペレニアルライグラスなどのライグラス類のような寒地型芝生があり、セダム類（Sedum）には、メキシコマンネングサ、モリムラマンネングサ、タイトゴメ、ツルマンネングサ、コーラルカーペット、サカサマンネングサ、マルバマンマンネングサ、オノマンネングサ、キリンソウなどがあり、コケ類（moss）には、無機質で乾燥した岩場などに生息するスナゴケや腐食土壊など、やや日の当たる場所に群落を形成するハイゴケなどがある。
【００３５】
多年草草花には、宿根草として知られる、岩だれそうや、宿根バーベナ、ヤプラン、フィリヤブラン、アジュガ、シバザクラ、マツパギク、ユリオプスデージー、ガザニア、プルーサルピア、イトバハルシャギク、ガウラなどがあり、球根には、タマスダレ、ドイツスズラン、クロッカス、ムスカリ、一年草草花として、春咲きの、パンジー、ビオラ、クリサンヤマム、ノースポール、クリサンセマム、ムルチコーレ、デージー、リナリアなど、夏咲きの、マツバボタン、キバナコスモス、ホソバヒャクニンソウなど、そして、春ないし秋咲きには、マリーゴールド、ベゴニア・センパフローレンス、ペチュニア、ハナスペリヒユなどがある。
【００３６】
また、グラス類として、タカネススキ、ベニチガヤ、エンゼルフェアー、ハープ類には、ローズマリー類、ラベンダー類、タイム、セージ類、スイートバジル、カモミール、ミント類があり、野菜類としては、ナス、ジャガイモ、キュウリ、カボチャ、サツマイモ、カプ、コマツナ、ニンジン、アオジソ、オクラ、モロヘイヤ、ニラ、シュンギク、リーフレタス、ショウガが、そして、家庭果樹類には、ユズ、キンカン、レモン、オリープ、ブルーベリー、キイチゴ、カキ、イチジク、キュウイフルーツなどがある。
【００３７】
ところが、過去に緑化された場所やエリアにあって、除草などのメンテナンスが行われていないところでは、雑草の独壇場の荒れた状態になり、全国至る場所で強い生命力と繁殖力を持っている帰化植物が、日本原産の植物を駆逐し繁茂して日本の景観を著しく阻害し、日本固有の生態系を破壊し、多大な影響を与えており、従前から緑化に用いられてきた植物は、緑化に必要な国内全エリアに適合する特性を具備せず、しかも帰化植物に勝てる強い生命力を具備していないというのが現状であり、日本の緑化を考えると、生物の生態系、環境、景観に影響を及ぼさない日本原産の植物の中から選択するのは当然のことであって、緑化だけに特化した認識で、外国原産の帰化植物、外来植物、さらには新に世界中から緑化植物の検索導入を図るようなことになると、緑化はできたとしても、植物生態系という視点から考察すると問題が多く、日本列島は、沖縄を含めて島国であって南北に細長く、亜熱帯から３０００ｍの高山まで、裏日本、表日本の変化の中に、主要な植物だけでも３０００種を越える植物が自生しており、モンスーン気候が育んだ緑の島、瑞穂の国と称されてきた国土であり、この国の緑化を考えたときに、外国に自生する植物を導入するのは、前述したように問題から避けなければならない。
【００３８】
例えば、東日本大震災の塩害を受けた広大な面積に対応した緑化植物は、塩害地でも生育繁殖出来る植物が理想であると言えるものの、現在までに知られた緑化植物の中には見当たらず、潮水に浸かったエリアを、日本固有の景観に復活、緑化しようとすれば、外国産の植物を排除した日本原産の原生植物の中から新たな緑化植物を調査・発掘するようにしなければ本来的ではなく、この観点から、国内全土に及ぶ過酷な環境を含む多様な緑化エリアと、多様な緑化目的とに適合する新たな緑化植物を発見するために、以下の２６項目を設け、日本を原産とする植物約３０００種の１つ１つを考察、検討することとし、その目的とするところは、日本の国土や建築物屋上などの緑化は日本に自生する固有種が日本の気候風土、環境、景観を損なわないという考えからであり、さらに、日本は、南北に細長い上、裏日本、表日本の違いもあって多様な気候条件下を考慮しなければならない緑化には、国土の中でも極めて過酷な環境、気候条件下で進化、生存してきた植物を選択するのが望ましいという視点からである。
【００３９】
この発明のイソギクＣの大量繁殖方法における緑化植物として具備していなければならないとする必須特性および条件を、以下の２６項目としたものである。
(    )内は緑化する場合の利点である。
１．日本原産の固有種であること。
(日本の植物生態系に影響を与えない。)
２．乾燥旱魃に耐えること。
(旱魃、屋上でも耐えられる。)
３．強光に耐えられること。
(更地、海岸、屋上でも耐えられる。)
４．強い紫外線に耐えられること。
(更地、海岸、屋上でも耐えられる。)
５．高温に耐えられること。
(道路、ビル、海岸、屋上、新造成地でも耐えられる。)
６．長雨、多湿に根腐れしないで生きられること。
(梅雨、豪雨でも耐えられる。)
７．強風、台風に耐えられること。
(茎、葉が痛まない。)
８．土質を選ばないで生育すること。
(造成地でも生きられる。)
９．ヤセ地でも生育、繁殖すること。
(少肥料でどんな場所でも永年緑化を持続できる。)
１０．浅い土壌でも生育繁殖すること。
(植生基盤を軽量化できる、劣悪造成地でも生きられる。)
【００４０】
１１．酸性土壌、アルカリ土壌でも生育繁殖すること。
(石灰岩、蛇紋岩などの土壌地帯でも生きられる。)
１２．塩害土壌でも生育繁殖する事、潮風に強いこと。
(海岸地帯、砂漠、津波被害地区でも生きられる。)
１３．草丈が低いこと。
(メンテナンスで茎葉の廃棄物が少ない。)
１４．茎、葉がマット状に地面を覆うこと。
(地面、屋上の遮熱効果がある。)
１５．多年草であること。
(一度植えれば永年緑化できる。)
１６．低温、積雪に耐え越冬すること。
(本州の殆どエリアを緑化できる。)
１７．枯れ葉が落葉、飛散しないこと。
(周囲に迷惑を与えない。)
１８．長日条件で栄養生長し、短日条件で生殖生長する短日植物であること。
（春から夏に葉を繁茂させ、秋から晩秋に開花すること。夏に最も元気が良く緑化できる。)
１９．病虫害が殆ど発生しないこと、消毒の必要がないこと。
(無農薬緑化が出来る。)
２０．茎棄が密生して土壌の流失・流亡を防止すること。
(雨を直接地面に当てない。)
【００４１】
２１．茎葉が密生して砂塵の飛散を防止すること。
(砂塵、飛び砂を防止できる。)
２２．ＣＡＭ型植物でないこと。
(蒸散作用でヒートアイランド抑制できる。)
２３．雑草の発生繁茂をさせないこと。
(緑化の最大の悩みを解消できる。)
２４．苗生産、緑化工事が簡単なこと。
(広大な面積を安価に緑化できる。)
２５．人間にアレギー、トゲ、その他で害を起こさないこと。
(公園など人の集まる所でも緑化できる。)
２６．美しい日本の景観を創ること。
(日本本来の春、夏、秋を作ることが出来る。)
【００４２】
現在、我が国で地面、屋上、その他の場所、エリアに用いられているものには、前記した様々な緑化植物があるが、上記の緑化必須特性、条件に照合して適否を考察してみると、殆どの緑化植物が多くの項目に適合せず、長期間に亘って経済的に緑化地帯を維持することができず、特に、東日本大震災のエリアは広大で、このエリアの緑化を考えるとすしたれば、前記２６項目の中の一つでも多くの項目に合致するようにした植物を探す必要があると言える。
【００４３】
このような観点から、日本に自生する主要な植物３０００余種を、前記緑化植物としての前記合否基準に１つ１つ照らし合わせ、且つ、永年に亘る実験と検討とを繰り返してきた結果、緑化植物として又とない画期的な特性を具備した植物であり、これまで取り沙汰されたことも無い植物として、イソギク（Chrysanthemum pacificum Nakai）を見出すことに成功した。
【００４４】
イソギクについて、緑化植物として具備していなければならない必須特性および条件に対するイソギクの評価（適合＝○、最適＝○○、不適合＝×）は、以下に示すとおりである。
１．日本原産の固有種である。                      ○○
２．乾燥旱魃に耐える。                            ○○
３．強光に耐えられる。                            ○○
４．強い紫外線に耐えられる。                      ○○
５．高温に耐えられる。                            ○○
６．長雨、多湿に絶えられる。                      ○○
７．強風、台風に耐えられる。                      ○○
８．土質を選ばないで生育する。                    ○○
９．ヤセ地でも生育、繁殖する。                    ○○
１０．浅い土壌でも生育繁殖する。                  ○○
１１．酸性土壌、アルカリ土壌でも生育繁殖する。    ○○
１２．塩害土壌でも生育繁殖する事、潮風に強い。    ○○
１３．草丈が低い。                                ○○
１４．茎、葉がマット状に地面を覆う。              ○○
１５．多年草である。                              ○○
１６．低温、積雪に耐え、本州の平地で越冬する。    ○
１７．枯れ葉が落葉、飛散しない。                  ○○
１８．長日条件で栄養生長し、短日条件で生殖生長する短日植物であり、春から夏に
葉を繁茂させ、秋から晩秋に開花する。        ○○
１９．病虫害が殆ど発生せず、消毒の必要がない。    ○○
２０．茎葉が密生して土壌の流亡を防止する。        ○○
２１．茎葉が密生して砂塵の飛散を防止する。        ○○
２２．ＣＡＭ型植物でない。                        ○○
２３．帰化植物、雑草の発生繁茂をさせない。        ○○
２４．苗生産、緑化工事が簡単である。              ○○
２５．人間にトゲ、アレルギーなどで害を起こさない。○○
２６．美しい日本の景観を創る。                    ○○
【００４５】
イソギクは、上記評価に見るとおり、緑化植物として具備しなければならない必須特性（前記条件２６項目）の中で、特性として１８項目をクリアし、必須条件９項目をクリアし、全ての項目を完全にクリアした希有な植物なのである。
以上の検定評価が示すように、イソギクは、緑化植物として利用した場合、他の植物に見ることが出来ない傑出した特性を具備していることを新発見した。
この傑出した希有な特性は、日本国内の緑化のみでなく、砂漠の緑化、外国の都市緑化、その他の緑化にも役立つものであり、なぜなら、キク科植物は世界中のエリアで生きられる強い生命力を持っているものが多く、日本で雑草として蔓延る植物の多くはキク科植物なのである。
【００４６】
さらに、本願出願人は、イソギクが、菌根植物であり、菌根の利用が循環型緑化の確立に極めて有効であるということを発見した。
イソギク（キク科）Chrysanthemum Pacificum
Nakaiは、本州関東（千葉）および東海地方（静岡）、伊豆諸島の一部の海岸の崖、傾斜地の瘠せた土壌に自生するキク科の多年草。草丈３０ｃｍ前後、上部まで密に葉を付けマット状になり、葉は厚く葉の裏には白い短毛を持ち、乾燥、高温、強光、紫外線、強い潮風に耐え、根は根毛を持たず、根は枯れ葉を分解する材木腐朽菌と共生する菌根であり、吸水力が強く、浅い砂の中に張り、茎は硬く密生し他の植物が発生繁茂できず、繁殖は冬至芽で行い、太平洋に面した海岸の崖、傾斜地は極めて浅く薄く、養分が殆ど無い瘠せた貧しい土壌であり、雨水は保存されることなく乾燥し、台風が襲えば塩を含んだ潮風と海水が葉を濡らし、ここで生きるには高山のハイマツのように草丈を低くして強風を凌ぐしかなく、以上のように、イソギクの自生地は、植物が生存するには最も酷しい条件が揃った場所であり、このような過酷な環境条件で生きられるということは、緑化植物として希有な特性を持った植物ということが出来、さらにイソギクはキク科植物で美しい花がマス状に咲き乱れることも着目した理由でもあって、緑化しながら美しい日本の秋を創ることが出来るからであり、緑化の対象になる土地、屋上は、多くの場合植物にとってイソギクの自生地と同じく、植物が生きるには極めて過酷な場所であり、こういう場所に植える植物は、酷しい条件下で生き続けてきた植物を用いるのが基本であり理想であり、イソギクはこの理想に合致した唯一の植物であると言える。
【００４７】
下記の外国原産の植物は、帰化植物の雑草となり、全国各地で猛威を振るっており、こうした帰化植物に対抗できるのもイソギクだけであると言えよう。
セイタカアワダテソウ（キク科）Solidago・altssima L.
北アメリカ原産  明治４０年頃渡来    帰化植物
アレチノギク（キク科）Erigeron cinifolius
Wild.
南アメリカ原産  明示中頃渡来    帰化植物
オオアレチノギク（キク科）Erigeron.sumatrensis Retz.
南部アジア原産  大正年間１９２０年頃渡来    帰化植物
ハルジオン（キク科）Erigeron pholadelphicus
L.
北アメリカ原産  大正中期に渡来    帰化植物
ヒメムカシヨモギ（キク科）Erigeron Canadensis L.
北アメリカ原産  明治に渡来    帰化植物
ブタクサ（キク科）Ambrosia elatior
L.
北アメリカ原産  明示初年に渡来    帰化植物
【００４８】
雑草として全国各地で猛威を振るっている帰化植物にキク科植物が多いのは、どんな過酷な条件でも生きられる特性を持ち、種子が空中に舞い飛び、広範囲に飛散、短時間に生息エリアを広げられる特性を具備しているからであり、これに打ち勝てる植物は日本原産の植物に多くはなく、キク科植物である「イソギク」に着目した理由の一つが帰化植物の雑草化である。
【００４９】
さらに、本願出願人は、以下のようにしてイソギクが永久的な循環型緑化を実現化可能な菌根植物であることを発見した。
イソギクが、なぜ前記したような過酷な環境条件である日本の一部のエリアに自生するように進化したのか、なぜ厳しい条件下でも何万年も生き続けられたのか、特別な生命力を解明する必要があるとの疑問があったため、瘠せて殆ど養分を保持できない傾斜地の浅い砂の中に自生するイソギクは、どこから養分を調達しているのかを解明すべく、イソギクの根を観察した結果、根毛を持たない菌根であることが判明し、イソギク自体が生じる僅かな枯れ葉や、他の植物の枯れ葉、植物死骸のセルロース、リグニンなどを分解する材木腐朽菌と共生する菌根を具備した菌根植物であり、光合成で作るエネルギーの不足分を、材木腐朽菌と共生することによってエネルギー調達し、貧しい瘠せた土地でも活きられるように進化した植物であることを発見し、この特性は、緑化する場合、余程のことがない限り枯死することがないことを意味しており、劣悪な土壌条件下でも緑化が可能になるとの確信するに至り、イソギクと共生している材木腐朽菌を培養増殖して植生基材に添加し、植物組織の植生基材を少しずつ分解するようにして、栽植の段階でイソギクの自生地を再現し、これによってヤセ地においても永続可能な循環型緑化が可能になり、殆どの場所、エリアでの緑化が可能であるとの創案に達したものである。
【００５０】
以上のようにして見出したところの自生地と同じ材木腐朽菌および／または他の微生物を保有するイソギクは、前述のような、他に類を見ないほど傑出した特性を有しているが、その繁殖に長期間を要してしまうものであっては、広大な敷地を緑化する緑化植物としての実用性に欠けるものとなってしまい、市場ニーズに迅速に応えることのできないものとなってしまうことから、利便性の高い緑化植物として実用化できるよう、短期間の中に、大量生産する技術が不可欠であるとの発意を得た本願出願人は、イソギク苗の大量生産技術の開発研究に着手し、この発明のイソギクの大量繁殖方法の実用化に成功した。
【００５１】
この発明のイソギクの大量繁殖方法の具体的な一例について、以下に示していくこととする。
図１、図４および図５に示すように、自生地と同じ材木腐朽菌および／または他の微生物をもつイソギクＣの親株（１）から冬至芽を分離して得た苗Ｐか、挿し木で得た苗Ｐか、または、茎頂の無菌培養で得たクローン苗Ｐかの何れかを植木鉢（図示せず）などに植えて（２）適宜灌水し、８月の短日条件になる時期から、午前０時から午前２時まで電灯で照明するようにして長日条件下（３）に維持し、気温の低下する１０月からは、朝の最低温度１０℃、日中の最高温度２５℃に冷暖房によって温度コントロール（３）して、この条件下でイソギクＣを栽培管理すると、図６および図７に示すように、花芽分化することなく一年を通して茎葉を分化伸長する。
【００５２】
図１、図８の二点鎖線矢印および図９に示すように、イソギクＣの茎が１５ｃｍほどに伸長したときに茎頂を摘心（４）し、その後、図１および図１０に示すように、下の葉の所から脇芽Ｂを多数発生伸長（５）させた上、それら脇芽Ｂが５ｃｍほどに伸長したとき、同図１および図１０の二点鎖線矢印に示すように、それらの脇芽Ｂをカッター、ハサミなどで切り取った上（６）、各脇芽Ｂをそのままか、または、各脇芽Ｂを定芽が残る範囲毎に適宜長さに切断するかして、図１および図１１ないし図１５に示すように、吸水スポンジＳや赤玉土Ｅ、砂Ｅなどを入れた植木鉢ＰＴなどに挿し木（７）し、図１、図１２、図１６および図１７に示すように、約２０日で発根（８）し、図１および図４に示すような、大量の苗Ｐを得る（８）ことが出来き、それらの親株１０は、前述と同様の工程（２，〜９）にて次々に脇芽Ｂを発生伸長させ、約３０日に１回の割合で挿し木（２）を行い、且つ、その一部数量を緑化用のイソギク苗Ｐとして出荷（９）する。
【００５３】
図１に示すように、イソギク苗Ｐを植え（２）たり、イソギクＣの脇芽（定芽）Ｂを挿し木（７）したりするのに使用する植物用植生基材Ｅは、図１、図８、図１０ないし図１５および図１７に示すような、赤玉土Ｅや砂Ｅ、吸水スポンジＳなどとすることができる外、後述する実施例に示すように、用土および／または土代替材に対して、イソギクと共生する材木腐朽菌および／または他の微生物、および、それら材木腐朽菌および／または他の微生物が分解してイソギクＣの栄養成分を添加してなるものとすることができる。
【００５４】
また、通年の気温が１０℃ないし２５℃にある高地エリアにて育苗するようにして冷暖房による気温管理を不要とするようにすることが可能であり、また、常に長日条件下にある北回帰線から南回帰線の間にあるエリアにて育苗するようにして照明時間の管理を不要とすることが可能であり、気温と日照時間との両方の条件を満たす地域で生産することも可能である。
以上のようにして繁殖したイソギクＣは、この発明のイソギクを利用した緑化方法にて栽植、育成することが可能であり、その一例を、以下の実施例２に示すこととする。                            
【実施例２】
【００５５】
この発明の根幹をなすイソギクの大量繁殖方法によって栽培したイソギクを利用し、効率的に緑化する方法は、図２および図４に示すように、当該イソギクＣの苗Ｐを、用土および／または土代替材に対し、イソギクと共生する材木腐朽菌および／または他の微生物を添加（９０）すると共に、岩石粒子および／または他の素材粒子、ペクチン、および、肥料および／または微量要素、の少なくとも一つを含有（９１）してなる植物用植生基材Ｅ（９２）を所望の緑化場所に設置（９３）してなる土壌に、隣接苗Ｐ相互間に適宜間隔を隔てて栽植（９４）し、適宜灌水してマット状に密生可能な条件下に管理する（９５）ようにすることにある。
【００５６】
図２中に示す、当該土代替材は、イソギクが生育繁殖し、さらに永年に亘って緑化維持でき、緑化工事が簡単にできるという条件が必須であり、赤玉土や砂、その他の園芸用土などとすることが可能であるが、輸送条件や設置場所などに応じて軽量化するのが望ましい場合などは、加水すると膨張する植物組織、加工した植物組織、および／または植物組織以外の素材、および／または、加水しても膨張しない植物組織、加工した植物組織および／または植物組織以外の素材とするのが望ましく、より具体的には、木材チップや木質ペレットなどとすることが可能であり、さらに、大量の水を吸収、保水する高分子ポリマーの適量を加えたものとし、該土代替材に対し、イソギクＣと共生する材木腐朽菌および／または他の微生物、岩石粒子および／または他の素材粒子、ペクチン、および、速効性、緩効性の各種肥料および／または微量要素、以上の一部または全部を含有したものとし、該植生基材Ｅに、イソギクＣを適宜密度にて栽植、適宜灌水し、図１８に示すように、育成・繁殖するよう管理する。
【００５７】
当該植物用植生基材Ｅを製造する工程は、土代替材に対して、岩石粒子および／または他の素材粒子、ペクチン、および、速効性、緩効性の各種肥料および／または微量要素、以上の一部または全部を混合した後に、イソギクＣと共生する材木腐朽菌および／または他の微生物を添加して製造することが可能であり、また、イソギクＣと共生する材木腐朽菌および／または他の微生物を添加した後に、岩石粒子および／または他の素材粒子、ペクチン、および、速効性、緩効性の各種肥料および／または微量要素、以上の一部または全部を混合するようにして製造しても良く、何れの素材も順位を自由に入れ替えて添加、混合することができる。                                                              
【実施例３】
【００５８】
前述の各実施例に示した、この発明の根幹をなすイソギクの大量繁殖方法、および、そのイソギクを利用した緑化方法に使用する、自生イソギクと共生する材木腐朽菌の培養方法の一例を以下に、図３を参照しながら示すこととする。
当該材木腐朽菌の培養方法は、自生地から採集したイソギクの菌根を浄水洗浄後、蒸溜水洗浄（１０）し、該菌根を長さ約５ｍｍに裁断して得た菌根切片を、蒸留水１０００ｃｃ、砂糖２０ｇ、寒天１７ｇｒ、ハイポネックス（登録商標：株式会社ハイポネックスジャパン製）３ｇｒを１００℃加熱で寒天溶融後、３００ｃｃフラスコに５０ｃｃずつ分注し、１２０℃蒸気殺菌に無菌化してなる無菌培養基に植え付け（１１）、培養ボックス内で自生地と同様の温度範囲内である１５ないし２０℃に管理して５ないし１０日間培養（１２）し、得た多種の微生物コロニーの中から材木腐朽菌を採取（１３）し、同図３中の（１１）と同じ要領で製作した新たな無菌培養基にて純粋培養を適宜回数繰り返した（１４）上、ここまでの培養で得た材木腐朽菌を新たなフラスコ（培養基）に移植すると共に、同フラスコ（培養基）に木質ペレットを充填し、１２０℃の蒸気殺菌にて無菌ペレットとし、該無菌化した木質ペレットに純粋培養した材木腐朽菌を接種（１５）し、培養ボックス内で１５ないし２０℃に管理して５ないし１０日間培養し、材木腐朽菌が木質ペレットを粉砕状に分解し、分解ペレットとなるのを待ち（１６）、該材木腐朽菌が繁殖した適量の分解ペレットを新たな木質ペレットに添加して材木腐朽菌を付着（１７）させ、菌根菌木質ペレットを得る（１７）ようにし、さらに、前記各実施例に使用する植物用植生基材Ｅを製造するには、当該菌根菌木質ペレットを、用土および／または土代替材となる例えば赤土、山砂などに１：９〜３：７の容量割合にて混合し、植物用植生基材を得るようにするのがよく、さらに、前記実施例と同様に、岩石粒子および／または他の素材粒子、ペクチン、および、肥料および／または微量要素、の少なくとも一つを適量混合することができる。
【００５９】
（実施例１ないし３の作用・効果）
以上のとおりの構成からなるこの発明のイソギクの大量繁殖方法、イソギクを利用した緑化方法、および、それらに利用する材木腐朽菌の培養方法は、図１ないし図１８中に示すように、初めに入手した自生イソギクＣの親株から冬至芽Ｂを分離して得た苗Ｐか、挿し木で得た苗Ｐか、または、茎頂の無菌培養で得たクローン苗Ｐかの少なくとも何れか１種を、自然繁殖に比較して格段に迅速且つ確実に大量の苗に繁殖するよう育成・管理することができるから、従前までの緑化植物に比較して格段に広大なエリアに迅速且つ効率的に栽植可能とし、しかもイソギクＣがもつ過酷な環境条件下でも生育可能という希有な生命力により、南北に長い我が国の夏の猛暑から厳冬の積雪下まで何れの場所にあっても強く繁茂し、さらに、その適応性は、世界中の都市緑化、および、地球温暖化で砂漠化が進行するエリアの緑化にも使用可能であり、ピル屋上の遮熱による節電効果を得たり、津波や、地盤沈下などによって塩害を受けた海岸周辺エリアを緑化したりするのに大きな効果を奏するものとなる。
【００６０】
加えて、イソギクは、日本原産のキク科植物の固有種であるから、日本の植物生態系に悪影響を与えずに、夏には涼しげな銀緑色の葉、秋には温かい黄色の花で、緑化しながら日本本来の美しい風景、景観を創ることが出来、しかも病害虫の発生がないので消毒の必要がなく、当該イソギクを利用した緑化方法による群生によって他の雑草、帰化植物を排除し、栽植２年目以降は殆ど除草、除草剤の散布は必要なくなり、他の緑化植物に比較するメンテナンスコストを大きく削減することができる上、セイタカアワダチソウやプタクサなどのように人間に花粉症のようなアレルギーを殆ど起こすことがなく、セダムのようなＣＡＭ型植物ではないから、ピル屋上の遮光、遮熱、蒸散作用による気温低下、気温上昇抑制効果によって効果的に節電可能とし、乾燥に強く耐える特性を具備しているので灌水が少なくてすみ節水でき、落葉しないから、強風でも枯れ葉が飛散せず、枯れ葉が周辺に飛散して近隣に迷惑をかける虞がなく、土質、ＰＨ、養分の多少を選ばないという性質により、栽植工事からメンテナンスまでの工事や作業経費を大幅に削減可能とし、植生基材に、国産の広葉樹、針葉樹およびモミガラなどを用いた場合は、材木腐朽菌の分解で土に還る産業廃棄物を発生させない循環型の理想的な緑化が可能とすることができる。
【００６１】
（結  び）
叙述の如く、この発明のイソギクの大量繁殖方法、イソギクを利用した緑化方法、および、それらに利用する材木腐朽菌の培養方法は、その新規な構成によって所期の目的を遍く達成可能とするものであり、しかも栽培も容易で、従前からの緑化植物の繁殖技術、および、従来の緑化技術に比較して遙かに効率的に繁殖・緑化することができ、瘠せた土壌でも強い生命力を発揮する日本原産のイソギクが、国内外を問わず、過酷な気候条件下であっても広範囲のエリアを効率的且つ確実に緑化可能とすることができ、日本的な美感に秀れ、繁殖から維持・管理のあらゆる段階で栽培、栽植、維持、管理作業の効率化と低コスト化を図ることができ、遥かに経済的なものとすることができる上、従前までの緑化植物では、栽植後の活着が不確実で早期に枯死することが多く、維持・管理に多大な経費と労力とを要してきた園芸業界はもとより、緑地帯の設置や維持に多大の経費を費やさざるを得なかった敷地や建築物の管理者や、一般家庭においても高く評価され、広範に渡って利用、普及していくものになると予想される。                                                                                
【符号の説明】
【００６２】
（イソギク苗の大量繁殖方法）
１      木材腐朽菌をもつイソギクを採集する
（イソギク用木材腐朽菌の培養方法）
１０    同  イソギクの菌根を洗浄する
１１    同  菌根切片を植え付ける
１２    同  適温管理にて培養する
１３    同  木材腐朽菌を採取する
１４    同  純粋培養を繰り返す
１５    同  木材腐朽菌を木質ペレットに接種させる
１６    同  木材腐朽菌による分解ペレット得る
１７    同  菌根菌木質ペレットを得る
２      自生地と同じ木材腐朽菌をもつイソギクを植える
３      長日条件下・一定温度範囲に管理する
４      生長したイソギクを摘心する
５      多数の脇芽を生長させる
６      生長した脇芽を切り取る
７      脇芽を挿し木する
８      約２０日間をかけてイソギクの苗を得る
９      イソギク苗の一部を出かする。
（イソギクを利用した緑化方法）
９０    同  用土に材木腐朽菌を添加する
９１    同  用土にその他の素材を混合する
９２    同  植物用植生基材を得る
９３    同  植物用植生基材を緑化対象エリアに設置する
９４    同  材木腐朽菌をもつイソギクを植える
９５    同  マット状に密生するよう管理する
Ｃ      イソギク
Ｐ    同  苗
Ｂ    同  脇芽
ＰＴ  植木鉢
Ｓ      吸水スポンジ
Ｅ      植物用植生基材
【図１】
0005607663.tif 000002
【図２】
0005607663.tif 000003
【図３】
0005607663.tif 000004
【図４】
0005607663.tif 000005
【図５】
0005607663.tif 000006
【図６】
0005607663.tif 000007
【図７】
0005607663.tif 000008
【図８】
0005607663.tif 000009
【図９】
0005607663.tif 000010
【図１０】
0005607663.tif 000011
【図１１】
0005607663.tif 000012
【図１２】
0005607663.tif 000013
【図１３】
0005607663.tif 000014
【図１４】
0005607663.tif 000015
【図１５】
0005607663.tif 000016
【図１６】
0005607663.tif 000017
【図１７】
0005607663.tif 000018
【図１８】
0005607663.tif 000019